(57)【要約】【課題】患者が病院に直接行かなくても、医師による診断を受けることができ、希望の場所で薬を取得することができる薬配送先提示装置、薬配送先提示方法および薬配送先提示プログラムを提供すること。【解決手段】薬配送先提示装置１００は、患者１０からの遠隔診断要求を受け付けると、当該遠隔診断要求および処方箋入力画面を患者１０により選択された病院・診療所２０に提示する。医師は、問診の結果として、処方箋データを入力し、薬配送先提示装置１００に送信する。薬配送先提示装置１００は、処方箋データを受け付けると、当該処方箋データおよび患者の希望受取先を所定の調剤店・薬局３０のＰＣ端末に提示する。【選択図】　図１
2004094391.tif 000002
【特許請求の範囲】
【請求項１】
患者からの遠隔診断要求を受け付ける診断受付手段と、
前記遠隔診断要求を医師に提示し、当該医師による処方箋データの入力を受け付ける処方箋受付手段と、
前記処方箋受付手段で受け付けた処方箋データおよび前記患者毎に定められた薬の希望受取先を所定の薬局に提示する薬配送先提示手段と
を備えたことを特徴とする薬配送先提示装置。
【請求項２】
患者による個人を特定できる番号の入力を受け付け、当該個人を特定できる番号の認証を行う認証手段をさらに備え、
前記診断受付手段は、前記認証手段で認証された患者の遠隔診断要求を受け付けることを特徴とする請求項１記載の薬配送先提示装置。
【請求項３】
前記処方箋データに対応する薬の投与期間を記録している投与期間記録手段と、
前記診断受付手段を介した遠隔診断を以前に受けた患者がその診断時の処方箋データに基づく薬の再投与を要求した場合、当該遠隔診断の日付と、前記投与期間とに基づいて、前記薬の再投与の可否を判断する再投与判断手段と
をさらに備え、
前記薬配送先提示手段は、前記再投与判断手段による判断結果に応じて、前記所定の薬局に前記診断時の処方箋データを提示することを特徴とする請求項１または請求項２記載の薬配送先提示装置。
【請求項４】
患者からの遠隔診断要求を受け付ける第１のステップと、
前記遠隔診断要求を医師に提示し、当該医師による処方箋データの入力を受け付ける第２のステップと、
前記第２のステップで受け付けた処方箋データおよび前記患者毎に定められた薬の希望受取先を所定の薬局に提示する第３のステップと
を有することを特徴とする薬配送先提示方法。
【請求項５】
患者からの遠隔診断要求を受け付ける診断受付機能、
前記遠隔診断要求を医師に提示し、当該医師による処方箋データの入力を受け付ける処方箋受付機能、
前記処方箋受付機能で受け付けた処方箋データおよび前記患者毎に定められた薬の希望受取先を所定の薬局に提示する薬配送先提示機能
としてコンピュータを機能させることを特徴とする薬配送先提示プログラム。
【発明の詳細な説明】
【０００１】
【発明の属する技術分野】
本発明は、薬配送先提示装置、薬配送先提示方法および薬配送先提示プログラムに関する。
【０００２】
【従来の技術】
従来から、患者は、病院や診療所を直接訪れ、医師による診察を受ける。そして、医師による診断結果として薬が処方された場合、患者は、この処方箋を病院内または外部の薬局に持っていき、薬の受け取りを行うようになっている。
また、特開２００２−１３２９５８号公報の第２〜４頁、図１および図２には、インターネットなどの通信網に接続された患者側コンピュータと、医者側コンピュータと、ネット病院側コンピュータとを備えたインターネット病院システムが記載されている。
【０００３】
【発明が解決しようとする課題】
しかしながら、患者が薬をもらうには病院で診察を受けて医師に処方してもらわなければならず、病院に行くには日時に制限があり、仕事をしているものにとってはなかなか病院や薬局に訪れることができなことが多い。また、後日同じ薬の投与を希望して、薬を処方してもらうにも、病院を再度訪れる必要があり、患者にとって面倒なこととなっていた。
本発明は、上記事情に鑑みてなされたもので、患者が病院に直接行かなくても、医師による診断を受けることができ、希望の場所で薬を取得することができる薬配送先提示装置、薬配送先提示方法および薬配送先提示プログラムを提供することを目的とする。
【０００４】
【課題を解決するための手段】
請求項１記載の発明は、患者からの遠隔診断要求を受け付ける診断受付手段と、前記遠隔診断要求を医師に提示し、当該医師による処方箋データの入力を受け付ける処方箋受付手段と、前記処方箋受付手段で受け付けた処方箋データおよび前記患者毎に定められた薬の希望受取先を所定の薬局に提示する薬配送先提示手段とを備えたことを特徴とする。
このように、医師によって入力された処方箋データおよび患者ごとに定められた薬の希望受取先を所定の薬局に提示するので、患者は、診察時間などの制限を気にせず、また、処方箋の存在も意識せずに、好きなときに任意の場所に薬を受け取りに行けばよく、薬を自分の都合に合わせてもらうことができる。
【０００５】
請求項２記載の発明は、請求項１記載の発明において、患者による個人を特定できる番号の入力を受け付け、当該個人を特定できる番号の認証を行う認証手段をさらに備え、前記診断受付手段は、前記認証手段で認証された患者の遠隔診断要求を受け付けることを特徴とする。
このように、保険証番号によって患者を認証するので、容易に本人の確認をすることができ、初診の病院でも保険適用を受けることができる。
【０００６】
請求項３記載の発明は、請求項１または請求項２記載の発明において、前記処方箋データに対応する薬の投与期間を記録している投与期間記録手段と、前記診断受付手段を介した遠隔診断を以前に受けた患者がその診断時の処方箋データに基づく薬の再投与を要求した場合、当該遠隔診断の日付と、前記投与期間とに基づいて、前記薬の再投与の可否を判断する再投与判断手段とをさらに備え、前記薬配送先提示手段は、前記再投与判断手段による判断結果に応じて、前記所定の薬局に前記診断時の処方箋データを提示することを特徴とする。
このように、再投与要求があった場合、以前の診察時の処方箋データを利用することができるので、処方箋のある人は、病院に行かなくても薬がなくなったときに、薬を任意の場所でもらうことができる。
【０００７】
請求項４記載の発明は、患者からの遠隔診断要求を受け付ける第１のステップと、前記遠隔診断要求を医師に提示し、当該医師による処方箋データの入力を受け付ける第２のステップと、前記第２のステップで受け付けた処方箋データおよび前記患者毎に定められた薬の希望受取先を所定の薬局に提示する第３のステップとを有することを特徴とする。
請求項５記載の発明は、患者からの遠隔診断要求を受け付ける診断受付機能、前記遠隔診断要求を医師に提示し、当該医師による処方箋データの入力を受け付ける処方箋受付機能、前記処方箋受付機能で受け付けた処方箋データおよび前記患者毎に定められた薬の希望受取先を所定の薬局に提示する薬配送先提示機能としてコンピュータを機能させることを特徴とする。
【０００８】
【発明の実施の形態】
以下、本発明の薬配送先提示装置、薬配送先提示方法および薬配送先提示プログラムの好適な実施形態について図１ないし図４を参照して詳細に説明する。
本実施形態の薬配送先提示装置は、患者からの診断要求を所定の病院の医師の端末に表示し、医師による診断としての処方箋データを取得し、当該処方箋データおよび患者ごとに定められている薬の希望受取先を所定の薬局に対して提示することができるものである。
【０００９】
図１は、本実施形態に係る薬配送先提示装置１００を含む薬配送先提示システムの構成を示した図である。薬配送先提示装置１００は、インターネット６０を介して、患者１０、病院・診療所２０、調剤店・薬局３０、コンビニエンスストア４０と接続されている。また、コンビニエンスストア４０は、銀行５０と接続されている。なお、患者１０、病院・診療所２０、調剤店・薬局３０、コンビニエンスストア４０は、それぞれインターネット６０と接続可能なＰＣ端末によって、薬配送先提示装置１００と各種データの送受信を行っているものとする。
【００１０】
図２は、薬配送先提示装置１００の具体的な構成を示した図である。
この図において、薬配送先提示装置１００は、パーソナルコンピュータやワードプロセッサなどを含むコンピュータシステムによって構成され、システム全体を制御するための制御部１１を備えている。この制御部１１には、データバスなどのバスラインを介して、キーボード１２、マウス１３などの入力部、表示部１５、記憶部１６が接続されている。
【００１１】
制御部１１は、ＣＰＵ（中央処理装置）１１１、ＲＯＭ（リードオンリメモリ）１１２、ＲＡＭ（ランダムアクセスメモリ）１１３を備えている。
表示部１５は、例えばＣＲＴ（Ｃａｔｈｏｄｅ−ｒａｙ　Ｔｕｂｅ）や液晶ディスプレイなどが使用される。
記憶部１６は、読み書き可能な記憶媒体と、その記憶媒体に対してプログラムやデータなどの各種情報を読み書きするための駆動装置で構成され、プログラム格納部１７、データ格納部１８、あるいはその他のプログラムやデータなどを格納している。
【００１２】
プログラム格納部１７は、診断受付プログラム１７１、処方箋受付プログラム１７２、薬配送先提示プログラム１７３、認証プログラム１７４、再投与判断プログラム１７５を格納している。
診断受付プログラム１７１は、患者１０からの遠隔診断要求、または、薬の再投与要求を受け付けるプログラムである。
処方箋受付プログラム１７２は、診断受付プログラム１７１によって受け付けた遠隔診断要求を病院・診療所２０の医師のＰＣ端末に提示するプログラムである。また、この提示に基づいて、医師がＰＣ端末において入力した処方箋データを受け付け、患者ごとに格納するプログラムである。
薬配送先提示プログラム１７３は、処方箋受付プログラム１７２によって受け付けた処方箋データおよび、あらかじめ患者ごとに定められた薬の希望受取先を所定の調剤店・薬局３０のＰＣ端末に提示するプログラムである。
【００１３】
認証プログラム１７４は、患者１０のＰＣ端末で入力された個人を特定できる番号（例えば、保険証番号など）を受け付け、当該個人を特定できる番号がデータ格納部１８に格納されているかどうかの認証を行うプログラムである。
再投与判断プログラム１７５は、診断受付プログラム１７１によって遠隔診断を以前に受けた患者から、以前の診断時の処方箋データに基づく薬の再投与要求を受け付けた場合、当該遠隔診断の日付と、当該処方箋データに対応する薬の投与期間にとに基づいて、薬の再投与の可否を判断するプログラムである。
制御部１１は、この診断受付プログラム１７１、処方箋受付プログラム１７２、薬配送先提示プログラム１７３、認証プログラム１７４、再投与判断プログラム１７５に従って動作し、診断受付手段、処方箋受付手段、薬配送先提示手段、認証手段、再投与判断手段などを実現する。
【００１４】
データ格納部１８は、投与期間記録手段として機能し、処方箋データ１８１、希望受取先データ１８２、保険証番号データ１８３などを格納している。
処方箋データ１８１は、患者ごとに格納されており、保険証番号、遠隔診断の日付、薬名、投与期間、再投与の際に医師による診断が必要か否かを示すフラグとからなる。
希望受取先データ１８２は、患者名と、希望受取先とが対応付けられている。また、保険証番号データ１８３は、保険証番号と、患者名とが対応付けられている。
【００１５】
次に、本実施形態の一例として、患者１０が自宅のＰＣ端末から遠隔診断を初めて要求する場合、すなわち処方箋のない初診の患者の遠隔診断について図３のフローを参照して説明する。ここで、遠隔診断とは、患者１０が直接病院や診療所に出向くことなく、医師による診断を受けることをいうものとする。
まず、遠隔診断を受けたい患者１０は、インターネット６０を介して薬配送先提示装置１００に接続し、当該薬配送先システムに登録されている病院リストから、当該インターネット６０を介して医師による診断を受けることが可能な任意の病院・診療所２０を選択し、遠隔診断要求を送信する。
ここで、患者１０は、病院・診療所２０以外に、罹りたい専門科も選択することができる。
【００１６】
薬配送先提示装置１００の制御部１１は、患者１０からの遠隔診断要求を受け付けると（ステップＳ３０１で「Ｙｅｓ」）、当該遠隔診断要求および処方箋入力画面を患者１０により選択された病院・診療所２０に提示する（ステップＳ３０３）。薬配送先提示装置１００からの遠隔診断要求および処方箋入力画面を受信した病院・診療所２０の医師のＰＣ端末には、処方箋入力画面が表示される。また、医師のＰＣ端末と、患者１０のＰＣ端末とは、インターネット６０を介して接続され、医師は、患者１０に対して問診を行う。問診は、例えば、患者１０の眼球の画像、のどの映像、容易に撮影可能な患部映像、心音、呼吸音、心拍数、脈拍などの計測結果、顔色、症状などの画像などに基づいて、医師が行うようになっている。
【００１７】
医師は、ＰＣ端末の処方箋入力画面において、問診の結果として、患者名、遠隔診断の日付、薬名、投与期間、再投与の際に再診断が必要であるか否かなどの処方箋データを入力し、薬配送先提示装置１００に送信する。なお、投与期間、再診断が必要であるかは、薬名に応じて、あらかじめ決まっていて、そのデータを処方箋に自動的に入力するようにしてもよい。
薬配送先提示装置１００の制御部１１は、処方箋受付プログラム１７２に従って、処方箋データを受け付けると（ステップＳ３０５で「Ｙｅｓ」）、当該処方箋データをデータ格納部１８に格納する。また、制御部１１は、当該処方箋データの患者名に対応付けられている希望受取先を希望受取先データ１８２から読み取る。そして、制御部１１は、当該処方箋データおよび患者の希望受取先を所定の調剤店・薬局３０のＰＣ端末に提示する（ステップＳ３０７）。
【００１８】
調剤店・薬局３０は、処方箋データに基づいて、薬を調剤し、患者の希望受取先への当該薬の配送を配送業者に依頼する。これにより、患者１０は、病院または薬局に行かなくても、希望取引先で医師により処方された薬を受け取ることができる。
なお、希望受取先は、患者１０が遠隔診断要求として、病院・診療所２０を選択する際に登録するようにしてもよいし、あらかじめ調剤店・薬局３０と契約しているコンビニエンスストア４０などに配送するようにしてもよい。希望受取先としては、例えば、コンビニエンスストア４０、患者１０の自宅など任意に設定することができる。
【００１９】
次に、以前に遠隔診断を受けた患者１０がその診断時の処方箋データに基づく薬の再投与要求を行う場合について図４のフローを参照して説明する。
まず、患者１０は、インターネット６０を介して、薬配送先提示装置１００に接続し、薬の再投与要求を送信する。
薬配送先提示装置１００の制御部１１は、患者１０からの薬の再投与要求を受け付けると（ステップＳ４０１で「Ｙｅｓ」）、患者１０のＰＣ端末に対して保険証番号の入力画面を提示する。制御部１１は、入力された患者１０の保険証番号を受け付けると、保険証番号データ１８３から当該保険証番号に対応付けられている患者名を読み取り、当該患者名に該当する以前の診断時の処方箋データを取得する（ステップＳ４０３）。
【００２０】
次に、制御部１１は、再投与判断プログラム１７５に従って、処方箋データに含まれる以前の遠隔診断の日付と、投与期間とに基づいて、薬の再投与の可否を判断する（ステップＳ４０５）。
まず、制御部１１は、再投与要求を受け付けた日が薬の投与期間を過ぎているか否かの判断を行う。ここで、薬の投与期間が過ぎている場合（ステップＳ４０７で「Ｙｅｓ」）、当該患者の処方箋データに再投与の際に医師による診断が必要か否かを示すフラグに基づいて判断する（ステップＳ４０９）。
【００２１】
医師の診断を要する（フラグが立っている）場合（ステップＳ４０９で「Ｙｅｓ」）、制御部１１は、遠隔診断要求および処方箋の再入力画面を、以前診断を行った病院・診療所２０へ提示する（ステップＳ４１１）。そして、病院・診療所２０の医師のＰＣ端末には、処方箋の再入力画面が表示され、医師は、患者１０に対して薬を再投与するかどうかを判断する。
医師は、処方箋の再入力画面において、患者名、遠隔診断の日付、薬名、投与期間などの処方箋データを入力し、薬配送先提示装置１００に送信する。
薬配送先提示装置１００の制御部１１は、処方箋データを受け付けると（ステップＳ４１３）、当該処方箋データをデータ格納部１８に格納する。そして、制御部１１は、当該処方箋データおよび患者の希望受取先を所定の調剤店・薬局３０のＰＣ端末に提示する（ステップＳ４１５）。
【００２２】
一方、薬の再投与に関して医師による診断を要しない場合（ステップＳ４０９で「Ｎｏ」）、すなわち、当該患者の処方箋データにフラグが立っていない場合、制御部１１は、以前の診断時の処方箋データをデータ格納部１８から抽出する。そして、制御部１１は、抽出した処方箋データおよび患者の希望受取先を所定の調剤店・薬局３０のＰＣ端末に提示する（ステップＳ４１７）。
調剤店・薬局３０側は、処方箋データに基づいて、薬を調剤し、患者の希望受取先への当該薬の配送を配送業者に依頼する。
【００２３】
以上、本発明の一実施形態について説明したが、本発明は、上述の実施形態に限定されるものではない。
再投与要求を受け付けた際に、保険証番号の入力画面を提示するとして説明したが、これに限られるものではなく、例えば、保険証番号および再投与要求を同時に送信させるようにしてもよい。
また、患者がコンビニエンスストア４０において薬を受け取る場合、料金の支払いは、当該コンビニエンスストア４０と接続されている銀行５０から自動的に引き落とされるようにしてもよい。この場合、患者は、保険証番号およびパスワードなどをコンビニエンスストア４０のＰＣ端末において入力すると、薬配送先提示装置１００の制御部１１が当該患者を認証し、銀行５０への自動引き落とし依頼が送信されるようになる。
【００２４】
なお、薬配送先提示装置には、任意の薬局を選択することにより、通常の薬局において市販されている薬剤（例えば、鎮痛剤など）を、受け取ることができるような所定のプログラムがあらかじめインストールされていてもよい。これにより、患者は、病院（専門科）を介することなく、通常の薬局において市販されている薬をその薬局から受け取ることができる。
また、薬配送先提示装置は、インターネット６０を介して接続されているので、世界各国での運用が可能であり、海外からでも利用することができる。
【００２５】
【発明の効果】
以上説明したように、本発明の薬配送先提示装置、薬配送先提示方法および薬配送先提示プログラムによると、受け付けた遠隔診断要求を医師に提示し、当該医師によって入力された処方箋データおよび患者ごとに定められた薬の希望受取先を所定の薬局に提示するので、患者は、診察時間などの制限を気にせず、任意の場所に薬を受け取りに行けばよく、薬を自分の都合に合わせて取得することができる。
【図面の簡単な説明】
【図１】本実施形態に係る薬配送先提示装置を含む薬配送先提示システムの構成を示した図である。
【図２】薬配送先提示装置の具体的な構成を示した図である。
【図３】処方箋がない患者に対する処理手順を示したフローチャートである。
【図４】処方箋がある患者に対する処理手順を示したフローチャートである。
【符号の説明】
１０　　　患者
１１　　　制御部
１２　　　キーボード
１３　　　マウス
１５　　　表示部
１６　　　記憶部
１７　　　プログラム格納部
１８　　　データ格納部
１００　　薬配送先提示装置
１１１　　ＣＰＵ
１１２　　ＲＯＭ
１１３　　ＲＡＭ
【図１】
2004094391.tif 000003
【図２】
2004094391.tif 000004
【図３】
2004094391.tif 000005
【図４】
2004094391.tif 000006